【事件の表示】
　平成　９年特許願第１０４００９号「ＡＶシステム」拒絶査定不服審判事件〔平成１０年１０月２３日出願公開、特開平１０−２８５６６４〕について、次のとおり審決する。
【結　論】
　本件審判の請求は、成り立たない。
【理　由】
１．手続の経緯・本願発明
　本願は、平成９年４月８日の出願であって、本願の請求項１に係る発明（以下、「本願発明」という。）は、平成１４年４月２４日付け、及び平成１５年２月１８日付けの手続補正により補正された明細書及び図面の記載からみて、その請求項１に記載された次のとおりのものである。
「【請求項１】　（ａ）ＡＶ用機器（１４）を適宜接続、切り離し自在でありトポロジーを自動設定できかつＡＶデータ及び制御データの伝送に共用されるデータ伝送路（１６）、
（ｂ）ユーザが機器自身に係る処理を選択するときのアイコンの表示に使用するアイコンソース及びこれに対応するコマンドを内蔵し前記データ伝送路（１６）に接続されるＡＶ用機器（１４）、
（ｃ）前記データ伝送路（１６）を介して前記ＡＶ用機器（１４）から前記アイコンソース及びコマンドをダウンロードするとともに、そのアイコンソースに係るアイコンが選択されたときにそのコマンドを、前記データ伝送路（１６）を介して前記ＡＶ用機器（１４）へ出力して前記ＡＶ用機器（１４）を制御する集中制御装置（１２）、及び
（ｄ）前記集中制御装置（１２）から送られてくる前記アイコンソースに基づいて前記アイコンを表示し、その選択を受け入れるリモコン（２６）を有し、
　前記集中制御装置（１２）は、前記ＡＶ用機器（１４）から前記アイコンソース及びコマンドをダウンロードしたとき、そのＡＶ用機器（１４）、コマンド、及びそのアイコンソースに係るアイコンの位置を対応させて記憶したアイコンテーブルを作成し、前記ＡＶ用機器（１４）へのコマンドの出力に際しては、前記アイコンの選択に応じて前記リモコン（２６）から送られる位置情報に対応する前記アイコンテーブル中のコマンドを、対応する前記ＡＶ用機器（１４）に出力するものであることを特徴とするＡＶシステム。」
　
２.　引用発明、及び周知技術
　Ａ．原査定の拒絶理由に引用され、本願の出願の日前である平成８年６月２５日に頒布された特開平８−１６８０８５号公報（以下、「刊行物」という。）には、「電子機器装置」の発明に関し、図面とともに以下の事項が記載されている。
　ａ）「【０００１】【産業上の利用分野】この発明は、例えば複数のオーディオ機器やビデオ機器等の電子機器（以下、「ＣＥ（Consumer Electronics)装置」という）の動作をコントローラ（以下、「ＣＥコントローラ」という）で制御するようにした電子機器装置に関する。」（２頁左欄３０行ないし３５行）、  
　ｂ）「【０００４】【発明が解決しようとする課題】図１０の例によれば、ＣＥコントローラ２は、予め、接続が予定されるＣＥ装置を制御するためのコマンドに係る情報を備えるものである。そのため、接続が予定されているＣＥ装置しか制御できないといった問題点があった。
【０００５】そこで、この発明では、ＣＥコントローラに接続される全てのＣＥ装置の制御を行い得る電子機器装置を提供するものである。」（２頁右欄５行ないし１３行）、
　ｃ）「【００１２】【実施例】以下、図１を参照しながら、この発明の一実施例について説明する。
【００１３】図において、１１，１２はそれぞれＣＥ装置であり、１１ａ，１２ａはそれぞれ後述するＣＥコントローラとの間の通信やＣＥ装置１１，１２の各部の動作を制御するためのマイクロプロセッサである。マイクロプロセッサ１１ａ，１２ａはそれぞれＣＥバスインタフェース１１ｃ，１２ｃを介してＣＥバス１４に接続される。マイクロプロセッサ１１ａ，１２ａには、それぞれＣＥ装置１１，１２で使用できるコマンドに係る情報が予め記憶されたメモリ１１ｂ，１２ｂが接続される。コマンドに係る情報とは、コマンドパラーメータデータと、コマンドボタンデータである。
【００１４】コマンドパラメータデータは、例えばビット数、「１」、「０」のパルス幅、各コマンドの「１」、「０」のパターン等である。コマンドボタンデータは、主として後述する表示器にコマンドをボタン形式で表示するためのデータである。図２は、ＣＥ装置がＶＴＲであるときのコマンドボタンデータの一部を示しているが、コマンドボタンデータは各コマンドの名前、各コマンドのボタン形状、各コマンドのボタンの表示位置、各コマンドのボタンの表示色、各コマンドの実行条件等のデータである。
【００１５】また、１３はＣＥコントローラであり、１３ａはＣＥコントローラ１３に接続されるＣＥ装置、例えばＣＥ装置１１，１２との間の通信やＣＥコントローラ１３の各部の動作を制御するためのマイクロプロセッサである。マイクロプロセッサ１３ａはＣＥバスインタフェース１３ｄを介してＣＥバス１４に接続される。また、マイクロプロセッサ１３ａには、コマンドパラメータ用メモリ１３ｂおよびコマンドボタンデータ用メモリ１３ｃが接続される。メモリ１３ｂには、ＣＥコントローラ１３に接続されるＣＥ装置のそれぞれより送られるコマンドパラメータデータが記憶される。また、メモリ１３ｃには、ＣＥコントローラ１３に接続されるＣＥ装置のそれぞれより送られるコマンドボタンデータが記憶される。」（３頁左欄８行ないし４５行）、
　ｄ）「【００２９】また、ＣＥコントローラ１３のマイクロプロセッサ１３ａには、リモコンコマンダ１５より出力されるリモコン信号を受信するリモコン信号受信部１３ｆが接続されると共に、表示制御回路１３ｇが接続される。なお、１３ｈは他のＣＥ装置が接続されるインタフェースである。
【００３０】本例では、リモコンコマンダ１５のキー操作によって、ＣＥコントローラ１３にＣＥバス１４を介して接続されるＣＥ装置、本例ではＣＥ装置１１，１２に使用できるコマンドを表示器１６にボタン形式で選択的に表示することができる。
【００３１】この場合、リモコンコマンダ１５のキー操作でコマンド表示を行うためのＣＥ装置が指定される。マイクロプロセッサ１３ａは、メモリ１３ｃより指定されたＣＥ装置のコマンド表示データ（各コマンドの名前、各コマンドのボタン形状、各コマンドのボタンの表示位置、各コマンドのボタンの表示色等のデータ）を読み出し、このコマンド表示データを表示制御回路１３ｇに供給する。
【００３２】表示制御回路１３ｇではコマンド表示データに基づいてコマンド表示信号が形成される。この表示器１３ｇより出力されるコマンド表示信号は、ＣＲＴやＬＣＤ等の表示器１６に供給され、これにより表示器１６に指定されたＣＥ装置のコマンドがボタン形式で表示される。ここで、ＣＥ装置が想定している表示領域ＬCEが表示器１６の表示領域ＬDSと異なるときは、表示制御回路１３ｇでもって拡大あるいは縮小の変換処理が行われて、表示器１６に適切な大きさでコマンド表示が行われる。」（４頁右欄２０行ないし４８行）。
　ｅ）「【００３９】このように本例では、リモコンコマンダ１５のキー操作によって、ＣＥコントローラ１３にＣＥバス１４を介して接続されるＣＥ装置、本例ではＣＥ装置１１，１２に使用できるコマンドを表示器１６にボタン形式で表示できる。そして本例では、このようなコマンド表示等を参照して、リモコンコマンダ１５でＣＥ装置およびコマンドを選択できる。ＣＥ装置およびコマンドの選択は、リモコンコマンダ１５のキー操作で直接ＣＥ装置およびコマンドを入力して行うことも考えられるが、本例では表示器１６に表示されたコマンド表示（アイコン）を、図９に示すようにカーソル２０の移動でもって選択することで簡単に行うことができる。この場合、コマンドボタンデータ（図２参照）の実行条件（execute condition）を満たす場合のみ、ＣＥ装置およびコマンドの選択が有効とされる。
【００４０】ＣＥコントローラ１３のマイクロプロセッサ１３ａは、表示器１６のどの位置にどのＣＥ装置のいかなるコマンド表示をしているか把握しており、またカーソル２０の表示位置も把握している。したがって、ＣＥコントローラ１３のマイクロプロセッサ１３ａはカーソル２０によってどのＣＥ装置のいかなるコマンドが選択されているかを認識できる。」（５頁右欄６行ないし２７行）、
  ｆ）「【００４２】上述したようにリモコンコマンダ１５やマウスによって選択されるＣＥ装置およびコマンドが有効であるときは、ＣＥコントローラ１３のマイクロプロセッサ１３ａは、メモリ１３ｂに記憶されたコマンドパラメータデータに基づいて選択されたコマンドに係るコマンド信号を所定のフォーマットで形成し、そのコマンド信号を選択されたＣＥ装置に送る。この場合、ＣＥ装置１１のようにＣＥバス１４を介してのみＣＥコントローラ１３に接続されているＣＥ装置の場合には、コマンド信号はＣＥバス１４を介して供給される。一方、ＣＥバス１４の他にＣＥ装置１２のように別途インタフェース１３ｅ，１２ｄを介してＣＥコントローラ１３に接続されている場合には、コマンド信号はインタフェース１３ｅ，１２ｄを介して供給される。このようにインタフェース１３ｅ，１２ｄを介してコマンド信号を供給するものにあっては、ＣＥバス１４を介してのコマンド信号の転送レートより速いときは、ＣＥ装置を即座にコントロールできる等の利益がある。」（５頁右欄３６行ないし６頁左欄３行）。
　
　上記ｅ）、ｆ）の記載によれば、ＣＥコントローラ１３のマイクロプロセッサ１３ａは、表示器１６のどの位置にどのＣＥ装置のいかなるコマンド表示をしているか把握しており、またカーソル２０の表示位置も把握し、カーソル２０によってどのＣＥ装置のいかなるコマンドが選択されているかを認識し、メモリ１３ｂに記憶されたコマンドパラメータデータに基づいて選択されたコマンドに係るコマンド信号を所定のフォーマットで形成し、そのコマンド信号を選択されたＣＥ装置に送るものであるから、「ＣＥコントローラ１３は、前記ＣＥ機器１１、１２、コマンドパラメータ、及びそのコマンドボタンデータに係るアイコンの位置を対応させ、前記ＣＥ機器１１、１２へのコマンド信号の出力に際しては、リモコンコマンダによる前記アイコンの選択に応じたカーソルの位置情報に対応するコマンド信号を、対応する前記ＣＥ機器１１、１２に出力する」ものと認められる。
　したがって、上記記載、及び技術常識を考慮すると、刊行物には、
「（ａ）複数のオーディオ機器やビデオ機器等のＣＥ装置（１１、１２）を適宜接続、切り離し自在でありＡＶデータ及び制御データの伝送に共用されるＣＥバス（１４）、
（ｂ）ユーザが機器自身に係る処理を選択するときのアイコンの表示に使用するコマンドボタンデータ及びこれに対応するコマンドパラメータデータを内蔵し前記ＣＥバス（１４）に接続されるＣＥ機器（１１、１２）、
（ｃ）前記ＣＥバス（１４）を介して前記ＣＥ機器（１１、１２）から前記コマンドボタンデータ及びコマンドパラメータデータをダウンロードするとともに、そのコマンドボタンデータに係るアイコンが選択されたときにそのコマンド信号を、前記ＣＥバス（１４）を介して前記ＣＥ機器（１１、１２）へ出力して前記ＣＥ機器（１１、１２）を制御するＣＥコントローラ（１３）、
（ｄ）前記ＣＥコントローラ（１３）から送られてくる前記コマンドボタンデータに基づいて前記アイコンを表示する表示器（１６）、
（ｅ）前記表示器（１６）に表示されたアイコンを選択するリモコンコマンダ（１５）を有し、
　前記ＣＥコントローラ（１３）は、前記ＣＥ機器（１１、１２）、コマンドパラメータ、及びそのコマンドボタンデータに係るアイコンの位置を対応させ、前記ＣＥ機器（１１、１２）へのコマンド信号の出力に際しては、前記リモコンコマンダによる前記アイコンの選択に応じたカーソルの位置情報に対応するコマンド信号を、対応する前記ＣＥ機器（１１、１２）に出力するものである電子機器装置。」の発明（以下、「引用発明」という。）が開示されているものと認められる。
　
　Ｂ．また、本願の出願の日前である平成６年４月１５日に頒布された特開平６−１０５３８０号公報（以下、「周知例１」という。）には図面とともに以下の事項ａ）ないしｅ）が記載され、また、原査定の備考欄に引用され、本願の出願の日前である平成６年９月２日に頒布された特開平６−２４５２６８号公報（以下、「周知例２」という。）には図面とともに以下の事項ｆ）ないしｉ）が記載されている。 
　
　ａ）「【０００１】【産業上の利用分野】本発明は、例えば家庭におけるＡＶ機器及び家電機器等の複数個の操作対象機器の操作制御を１個のリモートコントローラによって行なうことができるリモコン送信器、及び該リモコン送信器によって操作制御される操作対象機器、並びにそれらを用いたリモコンシステムに関する。」（２頁右欄３３行ないし３９行）、
  ｂ）「【０００４】【発明が解決しようとする課題】上述の１個のリモコン送信器にて複数個の操作対象機器を操作制御する場合には、操作対象機器の数だけリモコン送信器を用意しておかなければならず、また夫々の操作対象機器毎に異なる操作方法をマスターしておかなければならなかった。
【０００５】本発明は、上述の問題に鑑み成されたものであり、１個のリモコン送信器によって複数個の操作対象機器の操作制御を行うことができるリモコン送信器、及び該リモコン送信器によって操作制御される操作対象機器、並びにそれらを用いたリモコンシステムを提供することを目的とする。」（３頁左欄８行ないし１９行）、
  ｃ）「【０００６】【課題を解決するための手段】本発明は、リモコン送信器と、該リモコン送信器によって操作制御される操作対象機器とからなるリモコンシステムにおいて、上記リモコン送信器は、上記操作対象機器から該操作対象機器の操作指示内容であるユーザ操作画面情報を受信した後、上記リモコン送信器は上記操作対象機器に操作指示内容を送信することによって上記操作対象機器を操作制御することを特徴とする。」（３頁左欄２０行ないし２８行）、
　ｄ）【０００７】【作用】操作対象機器から、ユーザ操作画面情報を受信したリモコン送信器は、そのユーザ操作画面情報をリモコン送信器の表示手段に表示し、ユーザはこの表示手段に表示された情報に基づいて、入力手段によって表示手段の位置情報を操作対象機器に送信し、その操作対象機器はそれらの情報に基づいて操作制御される。」（３頁左欄２９行ないし３５行）、
  ｅ）「【００１５】斯る構成において、操作対象機器１、１・・・の内、例えばテレビ１ａにリモコン送信器２を向けて受信指示手段２４にて指示すると、リモコン送信器制御手段２６はリモコン送信器通信手段２３を介して操作対象機器通信手段１０に、図３（ａ）に示す操作画面情報送受信コード「０１」を送信する。これによって、操作対象機器側制御手段１４は操作画面管理手段１１内に格納されている操作画面管理情報を操作対象機器通信手段１０、及びリモコン送信器通信手段２３を介してリモコン送信器２のリモコン送信器側制御手段２６へダウンロードする。このとき、操作画面管理手段１１からリモコン送信器側制御手段２６に送信される操作画面管理情報は、図３（ｂ）に示すように、操作画面情報送受信コード、機器ＩＤ番号、操作画面情報サイズ、及びユーザ操作画面情報から構成されている。
【００１６】リモコン送信器側制御手段２６に送信される操作画面管理情報のうち、テレビ１ａの機器ＩＤ番号「０１」は機器ＩＤ記憶手段２５に格納されると共に、ユーザ操作画面情報は表示手段２２に表示される。
【００１７】ユーザは表示手段２２に表示されたユーザ操作画面情報に基づいて所望の位置をタッチすると、そのタッチされた表示手段の位置情報、操作画面情報送受信コード、及び機器ＩＤ番号がリモコン送信器側制御手段２６に送信される。リモコン送信器側制御手段２６はリモコン送信器通信手段２３、及び操作対象機器通信手段１０を介して比較手段１２にそれらの情報を送信する。
【００１８】一方、比較手段１２は操作画面管理手段１１から送られた操作画面管理情報と、リモコン送信器側制御手段２６から送られた位置情報、操作画面情報送受信コード、及び機器ＩＤ番号とを比較する。即ち、リモコン送信器側制御手段２６から送られた機器ＩＤ番号に基づいて、操作対象機器を特定し、また位置情報に基づいて、ユーザ操作画面情報のどの位置に相当するかを判断し、これによってユーザがリモコン送信器の操作タッチパネルのどの個所を押下したのかを認識し、この比較結果を機器制御手段１３に送信する。」（４頁左欄７行ないし４３行）、
　ｆ）「【０００１】【産業上の利用分野】本発明は、ＡＶ（Ａｕｄｉｏ  Ｖｉｓｕａｌ）テレビシステムあるいはマルチメディア情報家電システム等を操作するリモコン装置に関する。」（２頁左欄２１行ないし２４行）、
　ｇ）「【０００３】【発明が解決しようとする課題】本発明は上記問題点に鑑みなされたもので、案内メニューを本体機器（テレビ等）の画面ならびにリモコン装置の画面に表示するとともに、画面上のカーソル、あるいはリモコン装置に付属するペンで、前記案内メニューのアイコン等を指示し、本体機器の機能を選択するようにしたリモコン装置を提供することを目的とする。」（２頁左欄４５行ないし右欄２行）、
　ｈ）「【０００４】【課題を解決するための手段】上記目的を達成するために、備えられているキーを押すことにより相応する命令等を入力するキー入力手段と、画面表示されているアイコン等をペンで指示することにより該アイコン等を選択するペン入力手段と、アイコンおよび文字等でなる被制御機器操作の案内メニューなどを画面に表示する表示手段と、制御プログラムおよびリモコンのコードおよび前記案内メニュー等を記憶する手段と、リモコン信号を生成し送信するあるいは受信し復調する手段と、各手段を制御する手段とからなる。」（２頁右欄３行ないし１３行）、
　ｉ）【０００５】【作用】以上のように構成したので、記憶手段に記憶している案内メニューをリモコン装置の表示画面に表示するとともに、前記案内メニューをリモコン信号で本体機器側に伝送し、本体機器（テレビ等）の画面にも表示した後、前記リモコン装置の表示画面上のカーソルを移動し表示しているアイコン等を指示するかあるいはペンで指示する方法、あるいは本体機器の画面上にリモコン装置から送信したデータに基づき表示しているカーソルを移動させ表示しているアイコン等を指示することにより、所定の操作の選択をする。また、リモコン装置は、本体機器（テレビやマルチメディア情報家電システム）が送信した所定の情報をリモコン信号を受信することにより入手し、該情報に基づき画面表示した後、前記画面表示の内容をカーソルあるいはペンで指示することにより、所定の情報を坦持するリモコン信号を本体機器に出力し、所定の項目を選択する。」（２頁右欄１４行ないし３０行）。
　
　上記周知例１、２の記載によれば、「ＡＶ機器用のリモコンにおいて、該リモコン自体に表示部を設けてユーザ操作画面情報やアイコン等を表示し、その選択を受け入れるものとすること」は周知と認められる。
　
 ３.　対比
　本願発明と引用発明とを対比すると、
　ａ）　引用発明は、「（ａ）複数のオーディオ機器やビデオ機器等のＣＥ装置（１１、１２）を適宜接続、切り離し自在でありＡＶデータ及び制御データの伝送に共用されるＣＥバス（１４）」を有し、前記「複数のオーディオ機器やビデオ機器等のＣＥ装置（１１、１２）」、及び「ＣＥバス（１４）」は、本願発明の「ＡＶ用機器」、及び「データ伝送路」に相当するから、「（ａ）ＡＶ用機器を適宜接続、切り離し自在でありＡＶデータ及び制御データの伝送に共用されるデータ伝送路」を有する点で、本願発明と一致することは明らかである。
　ｂ）　引用発明は、「（ｂ）ユーザが機器自身に係る処理を選択するときのアイコンの表示に使用するコマンドボタンデータ及びこれに対応するコマンドパラメータデータを内蔵し前記ＣＥバス（１４）に接続されるＣＥ機器（１１、１２）」を有し、前記「コマンドボタンデータ」、「コマンドパラメータデータ」、及び「ＣＥ機器（１１、１２）」は、本願発明の「アイコンソース」、「コマンド」、及び「ＡＶ用機器」に相当するから、「（ｂ）ユーザが機器自身に係る処理を選択するときのアイコンの表示に使用するアイコンソース及びこれに対応するコマンドを内蔵し前記データ伝送路に接続されるＡＶ用機器」を有する点で、本願発明と一致することは明らかである。
　ｃ）　引用発明は、「（ｃ）前記ＣＥバス（１４）を介して前記ＣＥ機器（１１、１２）から前記コマンドボタンデータ及びコマンドパラメータデータをダウンロードするとともに、そのコマンドボタンデータに係るアイコンが選択されたときにそのコマンド信号を、前記ＣＥバス（１４）を介して前記ＣＥ機器（１１、１２）へ出力して前記ＣＥ機器（１１、１２）を制御するＣＥコントローラ（１３）」を有し、前記「ＣＥコントローラ（１３）」は、本願発明の「集中制御装置」に相当するから、「（ｃ）前記データ伝送路を介して前記ＡＶ用機器から前記アイコンソース及びコマンドをダウンロードするとともに、そのアイコンソースに係るアイコンが選択されたときにそのコマンドを、前記データ伝送路を介して前記ＡＶ用機器へ出力して前記ＡＶ用機器を制御する集中制御装置」を有する点で、本願発明と一致することは明らかである。
　ｄ）　引用発明は、「（ｅ）前記表示器（１６）に表示されたアイコンを選択するリモコンコマンダ（１５）」を有するから、「前記集中制御装置（１２）から送られてくる前記アイコンソースに基づいて前記アイコンを表示し、その選択を受け入れる」点を除き、「リモコン」である点で、本願発明と一致することは明らかである。
　ｅ）　引用発明は、「前記ＣＥコントローラ（１３）は、前記ＣＥ機器（１１、１２）、コマンドパラメータ、及びそのコマンドボタンデータに係るアイコンの位置を対応させ、前記ＣＥ機器（１１、１２）へのコマンド信号の出力に際しては、リモコンコマンダによる前記アイコンの選択に応じたカーソルの位置情報に対応するコマンド信号を、対応する前記ＣＥ機器（１１、１２）に出力するものである」から、「前記集中制御装置は、前記ＡＶ用機器、コマンド、及びそのアイコンソースに係るアイコンの位置を対応させ、前記ＡＶ用機器へのコマンドの出力に際しては、前記アイコンの選択に応じた位置情報に対応するコマンドを、対応する前記ＡＶ用機器に出力するものである」点で、本願発明と一致することは明らかである。
　ｆ）　引用発明の電子機器装置は、前記ａ）〜ｅ）の構成を有しているから、「ＡＶシステム」である点で、本願発明と一致することは明らかである。
　したがって、本願発明と引用発明は、次の点で一致し、相違する。
　
（一致点）    
（ａ）ＡＶ用機器を適宜接続、切り離し自在でありＡＶデータ及び制御データの伝送に共用されるデータ伝送路、
（ｂ）ユーザが機器自身に係る処理を選択するときのアイコンの表示に使用するアイコンソース及びこれに対応するコマンドを内蔵し前記データ伝送路に接続されるＡＶ用機器、
（ｃ）前記データ伝送路を介して前記ＡＶ用機器から前記アイコンソース及びコマンドをダウンロードするとともに、そのアイコンソースに係るアイコンが選択されたときにそのコマンドを、前記データ伝送路を介して前記ＡＶ用機器へ出力して前記ＡＶ用機器を制御する集中制御装置、及び
（ｄ）リモコンを有し、
　前記集中制御装置は、前記ＡＶ用機器、コマンド、及びそのアイコンソースに係るアイコンの位置を対応させ、前記ＡＶ用機器へのコマンドの出力に際しては、前記アイコンの選択に応じた位置情報に対応するコマンドを、対応する前記ＡＶ用機器に出力するものであるＡＶシステム。
　
（相違点１）
　本願発明は、データ伝送路が「トポロジーを自動設定でき」るのに対して、引用発明は、その点について明示しない点。
（相違点２）
　本願発明は、リモコンが「前記集中制御装置（１２）から送られてくる前記アイコンソースに基づいて前記アイコンを表示し、その選択を受け入れる」のに対して、引用発明は、ＣＥコントローラ（１３）から送られてくる前記コマンドボタンデータに基づいて前記アイコンを表示する表示器（１６）を有し、この表示器に表示されたアイコンをリモコン（リモコンコマンダ）により選択するものである点。即ち、本願発明は、リモコン自体に表示部を設けてアイコンを表示し、その選択を受け入れるのに対して、引用発明は、リモコンとは別体の表示器にアイコンを表示し、その選択を受け入れる点。
（相違点３）
　本願発明は、集中制御装置が「前記ＡＶ用機器（１４）から前記アイコンソース及びコマンドをダウンロードしたとき」、ＡＶ用機器（１４）、コマンド、及びそのアイコンソースに係るアイコンの位置の対応を対応させる「アイコンテーブル」を作成し、また、アイコンの選択に応じた位置情報は、リモコン（２６）から送られるのに対して、引用発明は、その点について明示しない点。
　
４．当審の判断
　まず、相違点１について検討すると、ＩＥＥＥ１３９４バスで明らかなように、トポロジーを自動設定できるデータ伝送路は周知（鈴木昌則外、「高速シリアルバス（ＩＥＥＥ１３９４）通信方式及び表示装置、ＷＡＮへの応用」、情報処理学会研究報告、９６−ＤＰＳ−７６、７６−３３）（１９９６−５−１６，１７）ｐ１９３−１９７、鈴木昌則外、「マルチメディアを利用した遠隔技術教育」、電子情報通信学会技術研究報告、ＥＴ９６−５１、（１９９６−７−１３）ｐ８１−８８）と認められ、この周知のデータ伝送路を引用発明に適用することを阻害する特段の要因は認められないから、この周知のデータ伝送路を引用発明に適用して、データ伝送路が「トポロジーを自動設定でき」るようにすることは、当業者が容易になし得ることである。
　次に、相違点２について検討すると、前記周知例１、２の記載によれば、ＡＶ機器用のリモコンにおいて、該リモコン自体に表示部を設けてユーザ操作画面情報やアイコン等を表示し、その選択を受け入れるものとすることは周知と認められ、この周知技術を引用発明に適用することを阻害する特段の要因は認められないから、この周知技術を引用発明に適用し、リモコン自体にアイコンを表示し、その選択を受け入れるものとすることに格別の困難性はない。また、引用発明におけるアイコンソース（コマンドボタンデータ）は表示部にアイコンを表示するためのものであることに鑑みれば、リモコン自体にアイコンを表示するものとした場合、その表示を集中制御装置から送られてくるアイコンソースに基づいて表示するものとすることは必然の構成にすぎない。したがって、引用発明において、リモコン（リモコンコマンダ）が「前記集中制御装置（１２）から送られてくる前記アイコンソースに基づいて前記アイコンを表示し、その選択を受け入れる」ものとすることは、当業者が容易になし得ることである。
　次に、相違点３について検討すると、複数のデータをテーブルを用いて対応させることは技術常識にすぎず、また、アイコンテーブルをアイコンソース等をダウンロードしたときに作成することは設計的事項にすぎず、また、アイコンの選択に応じた位置情報をリモコンから送るようにすることは、リモコン自体にアイコンを表示することに伴う構成にすぎないから、集中制御装置が「前記ＡＶ用機器（１４）から前記アイコンソース及びコマンドをダウンロードしたとき」、ＡＶ用機器（１４）、コマンド、及びそのアイコンソースに係るアイコンの位置を対応させるための「アイコンテーブル」を作成し、また、アイコンの選択に応じた位置情報をリモコン（２６）から送るようにすることは、当業者が容易になし得ることである。
　
５．　むすび
　以上のとおりであるから、本願発明は、刊行物に記載された発明、および周知技術に基いて当業者が容易に発明をすることができたものであるから、特許法第２９条第２項の規定により特許を受けることができないものである。
　よって、結論のとおり審決する。